(57)【要約】【課題】スピーカー装置から放音される放音音響が、リスナーへの無指向性かつ水平方向へ進行する理想的な円筒波となるようにする。【解決手段】、円錐型振動板１の頂点Ａ部分に振動伝達部材２の一端を支持し、当該振動伝達部材２他端に対し、振動素子３によって音響信号に応じた振動が加えられるように構成する。頂点Ａ部分から放音される音響の到達距離と、頂点から一番離れた側面端部から放音される音響の到達距離とが同じになるように、空気中の音速と円錐型振動板１内の音速とに基づいて、円錐型振動板１の頂点Ａから底面に下ろした垂線と当該音響振動板の側面とのなす角度θを設定する。【選択図】図１
2011029800.tif 000002
【特許請求の範囲】
【請求項１】
頂点から底面に下ろした垂線が当該底面の中心を通るようにされた錐体の音響振動板と、
再生する音響信号の供給を受けて、当該音響信号に応じた振動を発生させる振動素子と、
一端が前記錐体の音響振動板の前記頂点部分に支持されると共に、他端が前記振動素子によって加振される振動伝達部材とを備え、
前記錐体の音響振動板は、同じタイミングで放音されるべき音響であって、前記頂点部分から放音される音響の到達距離と前記頂点から一番離れた側面端部から放音される音響の到達距離とが同じになるように、前記音響振動板の前記頂点から底面に下ろした垂線と当該音響振動板の側面とのなす角度θを設定して形成したスピーカー装置。
【請求項２】
請求項１に記載のスピーカー装置であって、
空気中を音響が伝播する速度Ｖａ、前記錐体の音響振動板中を音響が伝播する速度Ｖｓである場合に、前記角度θは、
ｃｏｓ（９０−θ）＝Ｖａ／Ｖｂによって求められるスピーカー装置。
【請求項３】
請求項１または請求項２に記載のスピーカー装置であって、
前記錐体の音響振動板の側面に対して当該音響振動板よりも音速の速い１以上の他の振動伝達部材を設けたスピーカー装置。
【請求項４】
請求項１、請求項２または請求項３に記載のスピーカー装置であって、
前記振動伝達部材に対して、複数の前記錐体の音響振動板を設置したスピーカー装置。
【請求項５】
請求項４に記載のスピーカー装置であって、
前記振動伝達部材は、複数の前記錐体の音響振動板に対応して、複数に分岐した構造を有するスピーカー装置。
【請求項６】
請求項４または請求項５に記載のスピーカー装置であって、
複数の前記錐体の音響振動板の内、１以上の音響振動板と残りの音響振動板とは、異なる素材が用いられて形成されているスピーカー装置。
【請求項７】
請求項１、請求項２、請求項３、請求項４、請求項５または請求項６に記載のスピーカー装置であって、
前記錐体の音響振動板は、円錐の音響振動板であるスピーカー装置。
【請求項８】
請求項１、請求項２、請求項３、請求項４、請求項５または請求項６に記載のスピーカー装置であって、
前記錐体の音響振動板は、多角錐の音響振動板であるスピーカー装置。
【請求項９】
請求項１、請求項２、請求項３、請求項４、請求項５、請求項６、請求項７または請求項８に記載のスピーカー装置であって、
前記振動素子は、超磁歪アクチュエータであるスピーカー装置。
【請求項１０】
請求項１、請求項２、請求項３、請求項４、請求項５、請求項６、請求項７または請求項８に記載のスピーカー装置であって、
前記振動素子は、圧電アクチュエータであるスピーカー装置。
【請求項１１】
請求項１、請求項２、請求項３、請求項４、請求項５、請求項６、請求項７または請求項８に記載のスピーカー装置であって、
前記振動素子は、動電アクチュエータであるスピーカー装置。
【請求項１２】
頂点から底面に下ろした垂線が当該底面の中心を通るようにされた錐体の音響振動板と、再生する音響信号の供給を受けて、当該音響信号に応じた振動を発生させる振動素子と、一端が前記錐体の音響振動板の前記頂点部分に支持されると共に、他端が前記振動素子によって加振される振動伝達部材とを備えたスピーカー装置において、
前記音響振動板の前記頂点から底面に下ろした垂線と当該音響振動板の側面とのなす角度θを、同じタイミングで放音されるべき音響であって、前記頂点部分から放音される音響の到達距離と前記頂点から一番離れた側面端部から放音される音響の到達距離とが同じになるように設定するスピーカー装置形成方法。
【発明の詳細な説明】
【技術分野】
【０００１】
この発明は、例えば、超磁歪アクチュエータなどのアクチュエータによって発生させる音響信号に応じた振動を、音響振動板に伝達して音響を発生させる加振型の構成を有するスピーカー装置、当該スピーカー装置を形成するための方法に関する。
【背景技術】
【０００２】
スピーカー装置として、ボイスコイルおよびコーンを有する通常のスピーカーユニットではなく、超磁歪アクチュエータなどのアクチュエータによってアクリルなどからなる音響振動板に振動を加えて音響を発生させるものが考えられ、実用化されている。
【０００３】
具体的に、特許文献１には、円筒状の音響振動板を鉛直に支持し、音響振動板の下端側に磁歪アクチュエータを複数配置して、それぞれの磁歪アクチュエータの駆動ロッドを音響振動板の下端面に当接させ、音響振動板に軸方向の振動を加える装置が示されている。
【０００４】
このスピーカー装置では、まず円筒状の振動板の端面を加振することで、円筒の長さ方向へ瞬時に粗密波が伝播する。この粗密波が伝播する過程で固体が持つポワソン比により円筒の径方向（円筒の長さ方向に直交する方向）へ力が発生する。この力によって径方向の振動が起こり、結果として円筒の振動板全体から音波が発生する。
【０００５】
なお、ここでポアソン比は、弾性体を引き伸ばしたとき、または押し縮めたときに、その力方向の伸びまたは縮みと、当該力方向に直交する方向である垂直方向の縮み、または伸びとの比を意味する。
【０００６】
そして、当該スピーカー装置では、音響振動板の軸方向のどの位置でも均一なレベルで音波が放射され、音響振動板の高さ（長さ）方向の全体に渡って均一な音像が形成される。すなわち、高品位な再生音場を実現できる。
【０００７】
また、特許文献２には、アクチュエータにおいて発生させた音響信号に応じた信号（振動）を紙で構成された振動板に伝達して音響を発生させるスピーカーに関する発明が開示されている。
【０００８】
引用文献２に記載のアクチュエータは、駆動部ボックスとして実現されるものであり、ボイスコイルを設けると共に、当該ボイスコイルによる力を受ける円板を、その振動を抑制した状態で設けたものである。
【０００９】
そして、ボイスコイルに電気信号を供給することにより、円板に対する力を発生させ、それによる波動を、支持支柱等を介して紙（振動板）に伝達し、当該紙を振動させて音響を放音するものである。
【００１０】
当該引用文献２に記載のスピーカー装置の場合、従来のスピーカー装置のように、ボイスコイルやコーンを近接して設ける必要が無いため、構造や設置の自由度を向上させることができる。
【先行技術文献】
【特許文献】
【００１１】
【特許文献１】特開２００７−１６６０２７号公報
【特許文献２】特開２０００−３５０２８５号公報
【発明の概要】
【発明が解決しようとする課題】
【００１２】
上述した特許文献１に開示されたスピーカー装置の場合、固体中の音速で瞬時に粗密波が伝播する。しかし、厳密に考えて見ると、振動板上における加振点の音波放射時間と加振点からもっとも離れた点の音波放射時間に関しては十分に考慮されていない。
【００１３】
つまり、振動板上において、加振点近傍からは即座に音響が放音されるのに対して、加振点からもっとも離れた点においては、加振点からの振動が伝達されるまでに若干の時間がかかることになる。
【００１４】
このため、特許文献１に記載の発明の場合、振動板全体から放射される音波面は振動板材料の音速（固体中（振動板中）を伝搬する縦波の速度）に依存した角度αを持った波面となる。
【００１５】
例えば、図１７Ａの正面図に示すように、例えばアクリル樹脂により形成された音響振動板１００に対して、その下部に設けた振動素子（アクチュエータ）２００によって、音響信号に応じた振動を加える場合について考える。
【００１６】
この場合、加振点近傍の音響振動板下側部分からは即座に音響が放音されるのに対して、加振点から離れた音響振動板上側部分から放音される音響は若干遅れて放音されることになる。
【００１７】
したがって、図１７Ｂの側面図に示すように、音響振動板１００の全面から放音される音響の音波面は、点線で示した音響振動板１００に平行な面に対して、実線の音波面Ａｕが示すようにし、角度αを有する波面となる。
【００１８】
このことは、上述した特許文献２に記載されたスピーカー装置の場合にも言えることである。すなわち、特許文献２に記載されたスピーカー装置の場合も、音響振動板を構成する紙の下側から振動が加えられる構成になっている。
【００１９】
このため、特許文献１に記載のスピーカー装置の場合と同様に、音響振動板である紙における加振部分近傍と加振部分から離れた部分とでは、同時に放音されるべき音響の放音タイミングが若干のずれを生じさせると考えられる。
【００２０】
また、特許文献２に記載のスピーカー装置の場合には、音響振動板である紙が、内部応力がある状態に弾性変形するようにされており、その形状の複雑さから、音響振動板に対して平行な放音面を形成するように制御することは難しい。
【００２１】
また、特許文献１に記載のスピーカー装置を前提に考えると、音響振動板に対して平行な音波面を形成できるようにすると言うだけでは足りない。放音される音響が、リスナーへの無指向性かつ水平方向へ進行する理想的な円筒波を形成できるスピーカー装置の実現が望まれる。
【００２２】
以上のことに鑑み、この発明は、スピーカー装置から放音される放音音響が、リスナーへの無指向性かつ水平方向へ進行する理想的な円筒波となるようにすることを目的とする。
【課題を解決するための手段】
【００２３】
上記課題を解決するため、請求項１に記載の発明のスピーカー装置は、
頂点から底面に下ろした垂線が当該底面の中心を通るようにされた錐体の音響振動板と、
再生する音響信号の供給を受けて、当該音響信号に応じた振動を発生させる振動素子と、
一端が前記錐体の音響振動板の前記頂点部分に支持されると共に、他端が前記振動素子によって加振される振動伝達部材とを備え、
前記錐体の音響振動板は、同じタイミングで放音されるべき音響であって、前記頂点部分から放音される音響の到達距離と前記頂点から一番離れた側面端部から放音される音響の到達距離とが同じになるように、前記音響振動板の前記頂点から底面に下ろした垂線と当該音響振動板の側面とのなす角度θを設定して形成したものである。
【００２４】
この請求項１に記載の発明のスピーカー装置によれば、錐体の音響振動板の頂点部分に振動伝達部材の一端が支持され、当該振動伝達部材の他端に対し、振動素子によって音響信号に応じた振動が加えられるように構成されている。つまり、振動素子からの振動が、振動伝達部材を介して、錐体の音響振動板の頂点部分に伝達されるようになっている。
【００２５】
そして、錐体の音響振動板においては、同じタイミングで放音されるべき音響であって、錐体の音響振動板において、頂点部分から放音される音響の到達距離と、頂点から一番離れた側面端部から放音される音響の到達距離とが同じになるように、当該音響振動板の頂点から底面に下ろした垂線と当該音響振動板の側面とのなす角度θが設定されている。
【００２６】
これにより、錐体の音響振動板から放音される放音音響が、リスナーへの無指向性かつ水平方向へ進行する理想的ないわゆる円筒波となるようにされ、リスナーに対して、無指向性の良好な再生音場を提供することができるようにされる。
【発明の効果】
【００２７】
この発明によれば、錐体の音響振動板を通じて放音される放音音響が、リスナーへの無指向性かつ水平方向へ進行する理想的な円筒波となるようにすることができる。これにより、リスナーに対して、無指向性の良好な再生音場を提供することができる。
【図面の簡単な説明】
【００２８】
【図１】この発明の装置、方法の一実施の形態が適用された第１の実施の形態の加振型のスピーカー装置の外観を説明するための図である。
【図２】図１に示した第１の実施の形態のスピーカー装置の側面図である。
【図３】円錐型振動板１において、その中心軸ＡＤと側面の稜線ＡＣとが形成する角度θの求め方を説明するための図である。
【図４】第１の実施の形態のスピーカー装置の変形例について説明するための図である。
【図５】第１の実施の形態のスピーカー装置を、その側面から見た場合にスピーカー装置が発生させる音波面を説明するための図である。
【図６】第１の実施の形態のスピーカー装置を、その上面から見た場合にスピーカー装置が発生させる音波面を説明するための図である。
【図７】振動素子３として用いられる超磁歪アクチュエータの構成例を説明するための図である。
【図８】第１の実施の形態のスピーカー装置の具体的な構成例を説明するための図である。
【図９】円錐型振動板１から放音される音響の音波面の進行方向を上側に向ける場合について説明するための図である。
【図１０】円錐型振動板１から放音される音響の音波面の進行方向を下側に向ける場合について説明するための図である。
【図１１】この発明の装置、方法の一実施の形態が適用された第２の実施の形態の加振型のスピーカー装置について説明するための図である。
【図１２】底面を上側に向けるようにした円錐型振動板１ａだけを用いたスピーカー装置について説明するための図である。
【図１３】第３の実施の形態の第１の例のスピーカー装置について説明するための図である。
【図１４】マグネシウムと紙の振動特性を説明するための図である。
【図１５】第３の実施の形態の第２の例のスピーカー装置について説明するための図である。
【図１６】第３の実施の形態の第３の例のスピーカー装置について説明するための図である。
【図１７】加振型スピーカーの従来例を説明するための図である。
【発明を実施するための形態】
【００２９】
以下、図を参照しながら、この発明によるスピーカー装置、スピーカー装置の形成方法の一実施の形態について説明する。以下に説明する実施の形態のスピーカー装置は、その基本的な構成として、音響振動板と、振動伝達部材と、振動素子（アクチュエータ）とを備えたいわゆる加振型のものである。
【００３０】
そして、以下に説明する実施の形態のスピーカー装置は、いずれも音響振動板の形状、音響振動板の加振点の位置、振動伝達部材の材質（音速等）の３つの要素に着目して構成したものである。すなわち、これら３つの要素を最適化することで、理想的な円筒波を形成できる無指向性スピーカー装置を実現している。
【００３１】
以下、この発明によるスピーカー装置、スピーカー装置の形成方法について、第１〜第３の３つの実施の形態について具体的に説明する。
【００３２】
なお、この明細書において、「音響」という文言は、広く「音」を意味するものである。すなわち、この明細書において、「音響」と言う文言は、人の声、音楽など、振動によって伝搬され、人の耳によって聴取される種々の「音」が含まれる。
【００３３】
［第１の実施の形態］
図１は、この発明の装置、方法の一実施の形態が適用された第１の実施の形態の加振型のスピーカー装置の外観を説明するための図である。図１に示すように、この第１の実施の形態のスピーカー装置は、円錐型振動板１と、振動伝達部材２と、振動素子（アクチュエータ）３とからなっている。
【００３４】
円錐型振動板１は、音響振動板として用いられるものであり、例えば、エポキシ樹脂が円錐の形状に成型されたものである。この第１の実施の形態において、円錐型振動板１は、例えば、厚さが３ｍｍ程度のものであり、円錐型振動板１の内側は空洞になっているものである。すなわち、円錐型振動板１は、その側面側から見ると二等辺三角形の形状を有するように見え、また、底面は、正円（真円）形の開口部となっているものである。
【００３５】
また、円錐型振動板１の頂点Ａから底面に対して垂線を下ろした場合に、当該垂線は、正円形の底面の中心を通るようになっている。従って、円錐型振動板１の頂点Ａから底面に対して下ろした垂線は、当該円錐型振動板１の中心軸となっている。
【００３６】
そして、図１に示すように、円錐型振動板１の頂点Ａ部分に対しては、円錐型振動板１の内側から振動伝達部材２がその一端を接するようにして設けられる。そして、振動伝達部材２の他端には振動素子３が接するように設けられ、振動素子３によって加振するようにされている。
【００３７】
ここで、振動伝達部材２は、例えば、いわゆるピアノ線やカーボンファイバー製の線材であり、直径が例えば１ｍｍ〜数ｍｍ程度のものである。すなわち、振動伝達部材２は、図１に示したように、円錐型振動板１の中心軸上に設けられるようにされ、円錐型振動板１の頂点Ａ部分と振動素子３とを接続するものである。
【００３８】
なお、上述したように、円錐型振動板１の頂点Ａ部分に対して振動伝達部材２の一端を接するように構成するが、その構成方法は種々の態様を取ることができる。例えば、円錐型振動板１自体がある程度の重さを有するものであれば、円錐型振動板１を振動伝達部材２上に対して、図１に示した態様で置くだけでもよい。
【００３９】
しかし、振動伝達部材２を通じての振動を円錐型振動板１に効率よく伝達するためには、円錐型振動板１と振動伝達部材２とを固着させることが望ましい。
【００４０】
例えば、円錐型振動板１の頂点Ａ部分にネジ穴を形成しておき、振動伝達部材２の一端にネジ溝を切っておくことによって、両者をネジ式に固着させることができる。この場合、円錐型振動板１の頂点Ａ部分に直接にネジ穴を開けたり、ネジ穴となる管を円錐型振動板１の頂点Ａ部分に接着したりするなど、ネジ穴の形成は種々の方法を用いることができる。
【００４１】
また、円錐型振動板１の頂点Ａ部分と振動伝達部材２とを溶融した樹脂、あるいは、接着剤などによってリジットに接着するようにしてもよい。これ以外にも、円錐型振動板１と振動伝達部材２とを種々の方法で固着するようにしてももちろんよい。
【００４２】
なお、振動伝達部材２は、棒状のものであればよく、円柱状、角柱状、板状のものなど、その断面の形状はどのようなものであってもよい。
【００４３】
そして、振動伝達部材２は、上述もしたように、例えば、鋼鉄材（いわゆるピアノ線など）や炭素繊維（カーボンファイバー）など、「内部損失」が小さく、「音速」が速い材料で形成される。
【００４４】
ここで、「内部損失」は文字通り、固体中に振動が伝播する時の損失を意味し、換言すれば振動が伝わり易いか否かを示すものである。したがって、「内部損失」が小さければ伝播ロスが少ないことを意味し、「振動が効率よく伝播する」ということになる。また、「音速」は、弾性体や連続体内を伝播する弾性波の伝達速度を意味する。
【００４５】
これら「内部損失」と「音速」とに着目すると、振動伝達部材２として最も望ましい材質（材料）としては、振動伝播効率が良いことが必要であるため、まず、「内部損失」が小さい材料であることが必要である。
【００４６】
さらに、振動伝達部材２の始点（加振点）と終点（加振点から最も離れたところ）の時間遅れを最小にするために、「音速」が速い材料である必要がある。
【００４７】
このように、振動伝達部材２としては、「内部損失」と「音速」とに基づいて、適切なものを選択し、用いるようにすればよい。
【００４８】
振動素子（アクチュエータ）３は、再生対象の音響信号の供給を受けて、当該音響信号に応じた振動を発生させるものである。振動素子３としては、後述もするが、圧電アクチュエータ、動電アクチュエータ、超磁歪アクチュエータなど種々のアクチュエータを用いることが可能である。
【００４９】
圧電アクチュエータは、電圧を印加することで変位を起こす素子を用いたものである。動電アクチュエータは、電流を用いて、コイルと磁石で振動を発生させるものである。超磁歪アクチュエータは、外部からの磁界に応じて素子寸法が変化する超磁歪素子を用いたものである。この第１の実施の形態のスピーカー装置において、振動素子３は、超磁歪アクチュエータが用いられている。
【００５０】
これにより、再生対象の音響信号に応じた振動が、振動素子３により振動伝達部材２の端部に加えられ、当該振動が当該振動伝達部材２を介して、円錐型振動板１の頂点Ａ部分に伝達される。
【００５１】
そして、円錐型振動板１においては、その頂点Ａ部分から、これに振動伝達部材２を通じて加えられた振動に応じた粗密波が、円錐型振動板１の素材（エポキシ樹脂）の持つ音速で伝播していく。この粗密波が伝播する過程で、固体（エポキシ樹脂の円錐型振動板１）が持つポワソン比により、円錐型振動板１に対して垂直な力が発生する。
【００５２】
円錐型振動板１に対する当該垂直な力によって円錐型振動板１に対して垂直な振動が起こり、これが結果として音波となる。すなわち、円錐型振動板１から振動伝達部材２を通じて伝達された振動に応じた音響が放音するようにされる。
【００５３】
そして、この第１の実施の形態の円錐型振動板１については、振動伝達部材２が接する頂点Ａと頂点Ａから最も離れた位置における音波放音タイミングの時間差を考慮して、円錐型振動板１の中心軸と円錐型振動板１の側面とのなす角度θを設定する。
【００５４】
図２は、図１に示した第１の実施の形態のスピーカー装置の側面図である。上述もしたように、この第１の実施の形態のスピーカー装置を側面側から見ると、円錐型振動板１は二等辺三角形の形状を有するように見える。
【００５５】
そして、図２にも示すように、円錐型振動板１の中心軸部分に振動伝達部材２が設けられる。この振動伝達部材２は、円錐型振動板１の頂点Ａ部分に一端を接触させるようにされている。これにより、振動素子３が発生させる音響信号に応じた振動が、振動伝達部材２を通じて円錐型振動板１の頂点Ａ部分に伝達される。
【００５６】
このため、円錐型振動板１における加振点は頂点Ａ部分であり、頂点Ａ部分からは即座に音響が放音される。これに対して、頂点Ａから最も離れた位置である円錐型振動板１の位置Ｃからは、頂点Ａ部分に加振された振動が、円錐型振動板１内部を通って側面端部の位置Ｃに到達して放音される。
【００５７】
そして、図２に示すように、円錐型振動板１の頂点Ａを通り、円錐型振動板１の底面に対して平行な線と、位置Ｃを通り、円錐型振動板１の底面に対して垂直な線との交点を位置Ｂとする。また、図２において、位置Ｄは、円錐型振動板１の中心軸と円錐型振動板１の底面が交差する位置を示している。
【００５８】
この場合に、円錐型振動板１の頂点Ａ部分から放音された音響が位置Ｂに到達したときに、頂点Ａからの振動が円錐型振動板１を通じて位置Ｃに到達し、位置Ｃから音響が放音されないと、円錐型振動板１の周囲に理想的な円筒波を形成できない。
【００５９】
そこで、円錐型振動板１の頂点Ａ部分から放音された音響が位置Ｂに到達したときに、頂点Ａからの振動が円錐型振動板１を通じて位置Ｃに到達するように、円錐型振動板１の中心軸と円錐型振動板１の側面とが形成する角度θを設定する。
【００６０】
なお、図２に示すように、角度θは、円錐型振動板１における中心軸ＡＤと円錐型振動板１の側面の稜線（頂点Ａと位置Ｃとを結んだ辺）ＡＣとが成す角度であると表現することもできる。
【００６１】
ここで、空気中の音速（空気中を伝播する音響の伝達速度）Ｖａと円錐型振動板１内部の音速（円錐型振動板１を伝播する弾性波の伝達速度）Ｖｓとが重要になる。
【００６２】
すなわち、図２に示すように、円錐型振動板１の頂点Ａ部分から位置Ｂに向かって進む音響は、空気中を伝播するので、空気中の音速Ｖａで伝播することになる。一方、円錐型振動板１の頂点Ａ部分から位置Ｃに向かって伝播する振動（弾性波）は、円錐型振動板１内を円錐型振動板１内の音速Ｖｓで伝播する。
【００６３】
空気中の音速Ｖａは、約３４０ｍ／ｓｅｃ（メートル／秒）であり、円錐型振動板１を形成しているエポキシ樹脂内の音速は、約１７００ｍ／ｓｅｃである。そこで、頂点Ａ部分から放音された音響が、音速３４０ｍ／ｓｅｃで空気中を位置Ｂに到達するまでの時間と、頂点Ａ部分からの振動が、音速１７００ｍ／ｓｅｃでエポキシ樹脂中を位置Ｃに到達するまでの時間とが同じになるように角度θを設定する。
【００６４】
図３は、円錐型振動板１において、その中心軸ＡＤと側面の稜線ＡＣとが形成する角度θの求め方を説明するための図であり、図２に示した頂点Ａ、位置Ｂ、位置Ｃ、位置Ｄで示される部分を抜き出して示した図である。
【００６５】
図３において、点ＡＢＣＤが形成する四角形は、内角がいずれも９０度の長方形であり、辺ＡＢと辺ＤＣとは等しく、辺ＡＤと辺ＢＣとは等しい。また、このことから、図３において、三角形ＡＢＣと三角形ＣＤＡは、２辺とその挟む角度が同じであり、合同の三角形であると言える。
【００６６】
そして、図３においても、文字Ｖａは空気中の音速を示し、文字Ｖｓはエポキシ樹脂内の音速を示し、角度θは、円錐型振動板１における中心軸ＡＤと円錐型振動板１の側面の稜線ＡＣとのなす角度を示している。また、文字Ｔは時間を示している。
【００６７】
そして、図３に示したように、ＡＢ間の距離は、ＶａＴ（ＶａとＴの乗算）となり、ＡＣ間の距離はＶｓＴ（ＶｓとＴとの乗算）となる。この場合の角度θは、図３に示した（１）式により求められる。
【００６８】
なお、図３に示した（１）式においては、時間Ｔは分母と分子に共通に存在するので約分している。また、図３に示した（１）式は、ｓｉｎθ＝Ｖａ／Ｖｓとも等価である。
【００６９】
そして、図３に示した（１）式に、（２）式に示した空気中の音速Ｖａと、（３）式に示したエポキシ樹脂内の音速Ｖｓを代入し計算すると、図３において（４）式にも示したように、角度θは、１１．５３度と言うように求めることができる。
【００７０】
従って、図１〜図３に示したように、円錐型振動板１を、円錐型振動板１の中心軸ＡＤと、円錐型振動板１の側面の稜線ＡＣとのなす角度θが、１１．５３度となるように形成する。
【００７１】
これにより、円錐型振動板１の周囲に、図２において点線で示した音波面のように、理想的な円筒波を形成できる。従って、図１〜図３を用いて説明した第１の実施の形態のスピーカー装置は、完全な無指向性のものであると言える。すなわち、この第１の実施の形態のスピーカー装置の周囲であれば、どこにいても、当該スピーカー装置から放音される音響を良好に聴取することができるようにされる。
【００７２】
［第１の実施の形態の変形例］
図４は、第１の実施の形態のスピーカー装置の変形例について説明するための図である。図４に示したように、この変形例のスピーカー装置の場合にも、円錐型振動板１Ｘと、振動伝達部材２と、振動素子３とを備えたものである。
【００７３】
振動伝達部材２、振動素子３は、図１、図２に示したスピーカー装置の対応する部分と同様に構成されたものである。円錐型振動板１Ｘは、図１、図２に示した円錐型振動板１と同様の形状のものであるが、内部の構成が異なったものである。
【００７４】
すなわち、図４に示す変形例の円錐型振動板１Ｘは、図１、図２に示したスピーカー装置の場合と同様に、例えば、エポキシ樹脂により円錐の形状に形成されたものである。しかし、円錐型振動板１Ｘの内部には、図４に示すように、複数の振動板内振動伝達部材４が埋め込まれている。
【００７５】
振動板内振動伝達部材４は、例えば、チタン（Titanium）により形成された棒状のものである。そして、複数の振動板内振動伝達部材４は、円錐型振動板１Ｘの頂点Ａから円錐型振動板１Ｘの側面に放射状に埋め込まれるようにされている。
【００７６】
これにより、複数の振動板内振動伝達部材４のそれぞれは、円錐型振動板１Ｘの頂点Ａ部分において、振動伝達部材２と近接するようにされる。なお、円錐型振動板１Ｘの頂点Ａ部分において、複数の振動板内振動伝達部材４と振動伝達部材２とを直接に接触させるようにしてもよい。
【００７７】
チタンの「内部損失」は、０．００２であり、チタン内の音速は、４９５０ｍ／ｓｅｃである。そして、上述したように、エポキシ樹脂内の音速は、１７００ｍ／ｓｅｃである。つまり、チタン内の音速は、エポキシ樹脂内の音速の約３倍の速さである。
【００７８】
したがって、チタンの複数の振動板内振動伝達部材４が放射上に埋め込まれた図４に示した円錐型振動板１Ｘ内の音速は、図１、図２に示したエポキシ樹脂のみにより形成された円錐型振動板１内の音速よりも早くなる。
【００７９】
このため、図４に示したこの変形例のスピーカー装置の場合には、図１、図２に示したスピーカー装置に比べて、円錐型振動板１Ｘにおける中心軸ＡＤと側面の稜線ＡＣとのなす角度θをより小さくすることができる。これにより、円錐型振動板のスリム化を実現できる。
【００８０】
なお、図４を用いて説明した変形例のスピーカー装置の場合には、円錐型振動板１Ｘに埋め込む振動板内振動伝達部材４の数や振動板内振動伝達部材４内の音速を考慮して、円錐型振動板１Ｘ内の音速Ｖｓを求める。
【００８１】
そして、図３を用いて説明した計算にしたがって、円錐型振動板１Ｘにおける中心軸ＡＤと側面の稜線ＡＣとのなす角度θを適切にもとめ、これに応じて円錐型振動板１Ｘを形成することができる。
【００８２】
なお、この変形例では振動板内振動伝達部材４をチタンにより形成したものとして説明したが、これに限るものではない。振動板内振動伝達部材４としては、他の種々の材料で形成されたものを用いることももちろんできる。例えば、鋼鉄製のいわゆるピアノ線やカーボンファイバー製の線材等を用いることもできる。
【００８３】
また、ここでは、振動板内振動伝達部材４を円錐型振動板内に埋め込むものとして説明したが、これに限るものではない。例えば、振動板内振動伝達部材４を円錐型振動板の表面に密接して貼り付けるようにしてもよい。
【００８４】
［第１の実施の形態のスピーカー装置が形成する円筒波］
そして、図１〜図４を用いて説明したスピーカー装置の場合には、上述もしたように、理想的な円筒波を形成できる無指向性スピーカー装置を実現できる。
【００８５】
図５は、図１〜図４を用いて説明した第１の実施の形態のスピーカー装置を、その側面から見た場合にスピーカー装置が発生させる音波面を説明するための図である。また、図６は、図１〜図４を用いて説明した第１の実施の形態のスピーカー装置を、その上面から見た場合にスピーカー装置が発生させる音波面を説明するための図である。
【００８６】
第１の実施の形態のスピーカー装置は、その側面から見た場合を考えると、図５において点線で示したように、円錐型振動板１、１Ｘの底面に対して垂直で、かつ、水平方向に進行する音波面を形成することができる。
【００８７】
また、第１の実施の形態のスピーカー装置の場合は、その上面から見た場合を考えると、図６において点線で示したように、円錐型振動板１、１Ｘの頂点Ａを中心にして、円錐型振動板１、１Ｘの周囲に水平方向へ進行する理想的な円筒波を形成することができる。
【００８８】
これら図５、図６から分かるように、中心軸ＡＤと側面の稜線ＡＣとのなす角度θを適正に調整した円錐型振動板を用いることによって、完全無指向性のスピーカー装置を実現することができる。
【００８９】
［振動素子３の構成例］
ここで、この実施の形態のスピーカー装置において用いられる振動素子（アクチュエータ）３の構成例について説明する。上述もしたように、この第１の実施の形態において、振動素子３は、超磁歪アクチュエータである。
【００９０】
そこで、ここでは、超磁歪アクチュエータの構成例について説明する。図７は、この実施の形態のスピーカー装置で振動素子３として用いられる超磁歪アクチュエータの構成例を説明するための図である。この例は、超磁歪素子に予荷重が加えられる場合で、図７（Ａ）は上面図、図７（Ｂ）は側断面図である。
【００９１】
振動素子（アクチュエータ）本体として、棒状の超磁歪素子３１の周囲にソレノイドコイル３２が配置され、ソレノイドコイル３２の周囲にマグネット３３およびヨーク３４が配置される。
【００９２】
さらに、超磁歪素子３１の一端に駆動ロッド３５が連結され、超磁歪素子３１の他端に固定盤３６が取り付けられる。
【００９３】
この振動素子（アクチュエータ）本体が、駆動ロッド３５の先端部が外筐ケース３９の外側に突出するように、例えばアルミニウムからなる外筐ケース３９内に装填される。
【００９４】
さらに、駆動ロッド３５にはシリコンゴムなどからなるダンピング材３７が装填されるとともに、固定盤３６の背後にはネジ３８が挿入されて、超磁歪素子３１に予荷重が加えられる。
【００９５】
図１、図２、図４に示したスピーカー装置では、図７に示した構成の振動素子３が、振動伝達部材２の端部に接触するようにして設けられることになる。
【００９６】
この場合、制御磁界の変化に対して磁歪値が直線的に変化する磁界範囲が広く、かつその磁界範囲での制御磁界の変化に対する磁歪値の変化が大きい磁歪特性が得られるようにする。例えば、振動素子３の下部に配置するコイルスプリングなどの圧縮により超磁歪素子３１への荷重を調整することができる。
【００９７】
［スピーカー装置の具体的な構成例］
次に、上述した第１の実施の形態の具体的な構成例について説明する。図８は、第１の実施の形態のスピーカー装置の具体的な構成例を説明するための図であり、スピーカー装置をその中心を通る面で切断した場合の断面図である。
【００９８】
図１〜図４を用いて説明したように、この第１の実施の形態のスピーカー装置の基本的な構成は、円錐型振動板１と、振動伝達部材２と、振動素子３とを備えたものである。この具体的な構成例の円錐型振動板１は、例えば、エポキシ樹脂やアクリル樹脂等によって形成された厚さ（肉厚）が３ｍｍ程度のものである。
【００９９】
この円錐型振動板１は、図３を用いて説明したように、空気中の音速Ｖａと、円錐型振動板１内の音速Ｖｓとに基づいて、円錐型振動板１の中心軸と円錐型振動板１の側面の稜線との成す角度θが適切に設定されて形成されたものである。
【０１００】
そして、図８に示したスピーカー装置の円錐型振動板１の頂点部分には、その内側からネジ穴が形成されている。この円錐型振動板１の頂点部分のネジ穴には、振動伝達部材２の一端が勘合するようにされる。
【０１０１】
この例の振動伝達部材２は、上述もしたように、いわゆるピアノ線やカーボンファイバー素材の棒状のものであり、円錐型振動板１の高さとほぼ同等の長さを有するものである。そして、振動伝達部材２の一方の端部には、円錐型振動板１の頂点部分のネジ穴に勘合するネジ溝が設けられている。
【０１０２】
これにより、円錐型振動板１の頂点部分のネジ穴に対して、振動伝達部材２のネジ溝を有する端部をネジ式に勘合させることによって、円錐型振動板１の頂点部分と振動伝達部材２の端部とが固着される。
【０１０３】
そして、振動伝達部材２の他端には、振動素子３が接触するように設けられる。そして、振動伝達部材２に振動素子３を適切に接触させ、これを維持できるようにするなどのために、円錐型振動板１、振動伝達部材２、振動素子３のそれぞれを、図８に示すように、ベース筐体５上に設ける。
【０１０４】
ベース筐体５は、円錐型振動板１、振動伝達部材２、振動素子３が固定されるものであり、ベース筐体５自体が振動しないようにするために重たいほうがよい。このため、ベース筐体５は、真鍮、アルミ等の金属によって形成される。
【０１０５】
ベース筐体５は、円錐型振動板１の底面と同じかやや大きい面積の上面を有する円柱上のものである。なお、ベース筐体５は、円柱上のものに限るものではなく、円錐型振動板１の底面の全部を塞ぐことが可能な大きさの上面を有する角柱状のものであってもよい。
【０１０６】
このように、円錐型振動板１の底面をベース筐体の上面によって塞ぎ、円錐型振動板１の内部を密閉することにより、円錐型振動板１の内部で発生する音波は遮断することができる。
【０１０７】
すなわち、円錐型振動板１の外側表面で発生する音波と円錐型振動板１の内部で発生する音波との干渉を防止することができる。これによって、より良好な音場を形成することができる。
【０１０８】
そして、図８に示すように、ベース筐体５の上面と円錐型振動板１の側面の端面とが、ネジ６によって固定される。この例の場合、円錐型振動板１の底面の周囲に４５度間隔で８箇所において固定される。
【０１０９】
なお、ネジ止めだけでなく、ベース筐体４と円錐型振動板１との接合部分に、ゴムやフエルトなどを挟んだり、接着剤を併用したりするなどして、密着性を高めるなどの方策を適宜用いるようにしてもよい。
【０１１０】
そして、ベース筐体５の中心部分には、振動素子３が搭載される縦穴部が設けられる。ベース筐体の中心部分に設けられた縦穴部に振動素子３が搭載されることにより、振動素子３は径方向（横方向）に支持され、径方向には振動しないようにされる。
【０１１１】
また、振動素子３は、図８に示すように、ベース筐体５の裏側から押しネジで上側（振動伝達部材２側）に持ち上げられるようにされる。これにより、ベース筐体５上に設けられる円錐型振動板１に固着された振動伝達部材２の端部（ヘッド）に対して、適切な押圧力で振動素子３を押し当てることができるようにされる。
【０１１２】
これにより、振動素子３は、ベース筐体５により径方向に支持されると共に、縦方向にも振動伝達部材２に対して適切な押圧力で接触される。これにより、振動素子３が音響信号に応じて発生させる振動を適切に、振動伝達部材２を通じて円錐型振動板１の頂点部分に加振することができるようにされる。
【０１１３】
そして、図８に示すように、ベース筐体５は、脚７と底板８とからなる支持台上に載置されて固定され、床面から所定の高さに支持される。これにより、円錐型振動板１を起点とする空間（音場空間）に、円錐型振動板１から水平方向に進む理想的な円筒波を形成することができる。
【０１１４】
なお、図８に示した具体的な構成例において、円錐型振動板１と振動伝達部材２とはネジ式に固着するものとして説明したが、これに限るものでない。図８を用いて説明したように、円錐型振動板１とベース筐体４とはネジ５によって強固に接続されるので、振動伝達部材２は、円錐型振動板１の頂点部分に接するように配置するだけでもよい。
【０１１５】
また、振動伝達部材２を円錐型振動板１の頂点部分に、種々の樹脂や接着材を用いて固定するようにしてももちろんよい。要は、振動伝達部材２は、円錐型振動板１の頂点部分に対して適切に振動を伝えることができるような態様で、円錐型振動板１の頂点部分に接触させるようにすればよい。
【０１１６】
［音波面の進行方向の制御］
上述した第１の実施の形態のスピーカー装置の場合には、図５を用いて説明したように、円錐型振動板１の中心軸と側面の稜線とのなす角度θを適切に設定することによって、円錐型振動板１の底面に直交し、水平に進行する円筒波を形成するようにした。
【０１１７】
しかし、第１の実施の形態のスピーカー装置が、ユーザー（リスナー）の下方側に配置されたり、逆にユーザーの上方側に配置されたりする場合もある。このような場合には、円筒波の進行方向を上方側に傾かせたり、逆に下方側に傾かせたりしたい場合もある。
【０１１８】
しかし、スピーカー装置自体、すなわち、円錐型振動板１自体を全体的に傾かせてしまったのでは、当該スピーカー装置は、その全周方向に音波面を形成するので、傾かせた側とその反対側とで進行方向が逆になってしまう。
【０１１９】
つまり、図５に示したスピーカー装置を左側に傾かせたとする。この場合、当該スピーカーの左側では、音波面は下側に向かって進行するのに対して、当該スピーカーの右側では音波面は上側に向かって進行することになる。
【０１２０】
そこで、この第１の実施の形態のスピーカー装置の場合には、円錐型振動板１の中心軸と側面の稜線とが形成する角度θを調整することによって、円錐型振動板１の全周に渡って音波面の進行方向を下側や上側にすることができる。
【０１２１】
ここでは、図１〜図３を用いて説明した第１の実施の形態の場合と同様に、エポキシ樹脂製の円錐型振動板１と、いわゆるピアノ線の振動伝達部材２と、振動素子３とからなるスピーカー装置の場合を例にして説明する。
【０１２２】
図９は、円錐型振動板１から放音される音響の音波面の進行方向を上側に向ける場合について説明するための図である。
【０１２３】
図２、図３を用いて説明した第１の実施の形態のスピーカー装置の場合、エポキシ樹脂製の円錐型振動板１の中心軸と側面の稜線とのなす角度を１１．５３度とすることによって、円錐型振動板１の底面に垂直な音波面を形成するように音響を放音することができた。
【０１２４】
このため、音波面を上側に向けるようにするためには、円錐型振動板１の中心軸と側面の稜線との角度θを１１．５３度よりも大きくする。角度θを大きくした場合には、図９に示すように、円錐型振動板１の側面の端部Ｃは、中心軸ＡＤから離れる。
【０１２５】
つまり、図５と図９とを比較すると分かるように、円錐型振動板１の頂点Ａの位置は変わらないのに、角度θを大きくすることにより、位置Ｃの位置は中心軸ＡＤからより離れた位置となり、音波面の進行方向は上側向きとなるようにされる。
【０１２６】
この場合、円錐型振動板１の全周に渡って音波面の進行方向は上側向きとなるので、ユーザーの頭部よりも下側、例えば、足元近傍に置く場合に適したスピーカー装置を構成することができる。
【０１２７】
図１０は、円錐型振動板１から放音される音響の音波面の進行方向を下側に向ける場合について説明するための図である。
【０１２８】
この例の場合には、音波面を下側に向けるようにするために、円錐型振動板１の中心軸と側面の稜線との角度θを１１．５３度よりも小さくする。角度θを大きくした場合には、図１０に示すように、円錐型振動板１の端部Ｃは、中心軸ＡＤに近くなる。
【０１２９】
つまり、図５と図９とを比較すると分かるように、円錐型振動板１の頂点Ａの位置は変わらないのに、角度θを小さくすることにより、位置Ｃの位置は中心軸ＡＤに近い位置となり、音波面の進行方向は下向きとなるようにされる。
【０１３０】
この場合、円錐型振動板１の全周に渡って音波面の進行方向は下側向きとなるので、ユーザーの頭部よりも上側、例えば、天井の近傍などに置くスピーカー装置を構成することができる。
【０１３１】
このように、適切に求めた角度θを、スピーカーが設置される位置などに応じて、調整することにより、音波の放音方向を微調整することが可能である。
【０１３２】
［第２の実施の形態］
図１１は、この発明の装置、方法の一実施の形態が適用された第２の実施の形態の加振型のスピーカー装置について説明するための図であり、この第２実施の形態のスピーカー装置の側面図である。
【０１３３】
図１１において、図１〜図３を用いて説明した第１の実施の形態のスピーカー装置と同様に構成される部分には同じ参照符号を付し、当該部分の詳細な説明については省略する。
【０１３４】
そして、図１１に示す第２の実施の形態のスピーカー装置は、２つの円錐型振動板１ａ、１ｂと、振動伝達部材２と、振動素子３とからなっている。
【０１３５】
円錐型振動板１ａ、１ｂのそれぞれは、図３を用いて説明した第１の実施の形態の円錐型振動板１の場合と同様にして、空気中の音速と、円錐型振動板１ａ、１ｂ内の音速とに基づいて、中心軸と側面とのなす角度θが調整されたものである。
【０１３６】
すなわち、円錐型振動板１ａ、１ｂのそれぞれは、その周囲に自己の底面に直交し、底面の平行に進行する円筒波を形成することができるものである。なお、円錐型振動板１ａ、１ｂのそれぞれは、第１の実施の形態の場合と同様に、例えば、エポキシ樹脂製のものである。
【０１３７】
そして、この第２の実施の形態のスピーカー装置は、図１１に示すように、円錐型振動板１ａと円錐型振動板１ｂとを、その中心軸を一致させ、頂点同士を対向させるようにして接続したものである。
【０１３８】
さらに、接触させた円錐型振動板１ａ、１ｂのそれぞれの頂点部分に、振動伝達部材２の一端が接触するようにして設けられる。すなわち、円錐型振動板１ａ、１ｂのそれぞれに対して振動を伝達できるように、円錐型振動板１ａ、１ｂのそれぞれの頂点部分に、振動伝達部材２の一端が接触するようにされている。
【０１３９】
そして、振動伝達部材２の他端には、第１の実施の形態の場合と同様に、振動素子３が設けられるようにされている。
【０１４０】
これにより、音響信号に応じて振動素子３が発生させた振動が、振動伝達部材２を通じて円錐型振動板１ａ、１ｂのそれぞれに伝達される。そして、円錐型振動板１ａ、１ｂの周囲には、円錐型振動板１ａ、１ｂの底面に対して直交し、円錐型振動板１ａ、１ｂの周囲に、円錐型振動板１ａ、１ｂの底面に対して平行に進行する円筒波が形成される。
【０１４１】
そして、図１１に示したように、２つの円錐型振動板１ａ、１ｂをつなげた形状とすることで、円錐型振動板１ａ、１ｂのそれぞれ毎の高さを抑制し、底面の径方向の大きさを抑えるメリットがある。
【０１４２】
つまり、図１、図２に示したように、１つの円錐型振動板１だけである程度の高さを稼ごうとすると、円錐型振動板１の底面は比較的に大きなものとなる。しかし、同じ高さを２つの円錐型振動板１ａ、１ｂを用いて実現するようにすれば、そのそれぞれの高さは第１の実施の形態の円錐型振動板１の半分で済む。
【０１４３】
この場合、円錐型振動板１ａ、１ｂの底面の大きさは、１つの円錐型振動板で同じ高を実現するようにした場合に比べて小さくなる。すなわち、２つの円錐型振動板１ａ、１ｂを用いることによって、底面の径方向の大きさを抑制することができ、スリムな（細身の）スピーカー装置を形成することが可能となる。
【０１４４】
また、逆に考えれば、複数の円錐型振動板を、その中心軸方向に複数並べた構成にすることによって、中心軸方向の幅を広げた円筒波の形成が可能なスピーカー装置を実現することができる。
【０１４５】
すなわち、図１１に示した構成の円錐型振動板１ａ、１ｂを、さらに縦方向に連結するようにする。これにより、１本の振動伝達部材でそれぞれの頂点部分を接続するように構成することによって、中心軸方向の幅を広げた円筒波の形成が可能なスピーカー装置を実現することができる。
【０１４６】
［円錐型振動板の向きの変更］
なお、図１１に示した第２の実施の形態のスピーカー装置は、円錐型振動板１ａ、１ｂを用いるようにした。しかし、底面を上側に向けるようにした円錐型振動板１ａだけを用いたスピーカー装置を形成することもできる。
【０１４７】
図１２は、底面を上側に向けるようにした円錐型振動板１ａだけを用いたスピーカー装置について説明するための図である。円錐型振動板１ａ、振動伝達部材２、振動素子３のそれぞれは、図１１に示した第２の実施の形態のスピーカー装置と同様に構成されたものである。
【０１４８】
すなわち、図１２に示したスピーカー装置は、図１１に示したスピーカー装置から、円錐型振動板１ｂを除いた構成のスピーカー装置である。図１２に示したスピーカー装置は、単に底面を上方に位置するようにしただけであるので、図１、図２に示したスピーカー装置の場合と同等に、円錐型振動板１ａの周囲に第１の実施の形態の場合のスピーカー装置の場合と同様の円筒波を形成することができる。
【０１４９】
図１２に示したように、円錐型振動板をその底面を上側に向けて配設した場合であっても、図１、図２に示したように、円錐型振動板をその底面を下側に向けて配設した場合であっても、形成される円筒波の性質は同じである。
【０１５０】
したがって、図１２に示したように、円錐型振動板をその底面を上側に向けて配設したものと、図１、図２に示したように、円錐型振動板をその底面を下側に向けて配設したものとを提供することにより、ユーザーを好みのものを選択することができる。
【０１５１】
なお、図１１、図１２に示したようにスピーカー装置を構成する場合に、図４を用いて説明したように、円錐型振動板１ａ、１ｂに、例えば、チタンで形成された振動板内振動伝達部材を埋め込む、あるいは、貼り付けるなどしてもよい。
【０１５２】
このようにすることによって、円錐型振動板１ａ、１ｂ内の音速を早めることができ、更に、円錐型振動板１ａ、１ｂの中心軸と側面のなす角度θを小さくし、スリム化を図ることもできる。
【０１５３】
［第３の実施の形態］
図１３〜図１６は、第３の実施の形態のスピーカー装置の構成例を説明するための図である。この第３の実施の形態のスピーカー装置は、図１２に示したスピーカー装置の場合と同様に、複数の円錐型振動板を用いるものであるが、その配置の仕方が第２の実施の形態のものとは異なるものである。
【０１５４】
［第３の実施の形態の第１の例］
図１３は、この第３の実施の形態の第１の例のスピーカー装置について説明するための図である。図１３に示すように、この例のスピーカー装置は、マグネシウムで形成された円錐型振動板１ｃと、紙（例えばコーン紙）により形成された円錐型振動板１ｄとを備えている。
【０１５５】
これら、円錐型振動板１ｃ、１ｄのそれぞれは、図３を用いて説明した第１の実施の形態の円錐型振動板１の場合と同様にして、空気中の音速と、円錐型振動板１ｃ、１ｄ内の音速とに基づいて、中心軸と側面の稜線とのなす角度θ１、θ２が調整されたものである。
【０１５６】
これにより、円錐型振動板１ｃ、１ｄのそれぞれの周囲には、第１の実施の形態の場合と同様に、自己の底面に直交し、底面に対して平行に（水平方向に）進行する円筒波を形成することができるようにされる。
【０１５７】
なお、マグネシウムの「内部損失」は、０．００４５であり、音速はチタンと同様に約５０００ｍ／ｓｅｃである。また、また、紙（コーン紙）の「内部損失」は、０．０４であり、「音速」は、１６５０ｍ／ｓｅｃである。
【０１５８】
このため、図１３では、円錐型振動板１ｃにおける角度θ１と、円錐型振動板１ｄにおける角度θ２とはほぼ同じ角度に示しているが、マグネシウム製の円錐型振動板１ｃの角度θ１の方が小さな値となる。
【０１５９】
そして、図１３に示すように、円錐型振動板１ｃ、１ｄのそれぞれは、振動伝達部材２に対して直列的に配設され、それぞれの頂点部分が振動伝達部材２に接続される。この場合の接続方法は、種々の方法を用いることが可能である。例えば、上述もしたように、ネジ式で両者を固着するようにしたり、樹脂や接着材によって両者を固着するようにしたりするなどのことが可能である。
【０１６０】
そして、振動伝達部材２の端部には、振動素子３が接触するように設けられる。これにより、音響信号に応じて振動素子３が発生させた振動が、振動伝達部材２を通じて円錐型振動板１ｃ、１ｄのそれぞれに伝達される。
【０１６１】
これにより、円錐型振動板１ｃ、１ｄの周囲には、円錐型振動板１ｃ、１ｄの底面に対して直交し、円錐型振動板１ｃ、１ｄの周囲に、円錐型振動板１ｃ、１ｄの底面に対して平行な方向に進行する円筒波が形成される。
【０１６２】
そして、マグネシウムが用いられて形成された音響振動板１ｃは、内部損失が比較的に小さく、高域部（高域側）の振動に対してよく反応する。このため、音響振動板１ｃは、高域側の音響を放音するためのものとして用いられる。
【０１６３】
また、紙が用いられて形成された音響振動板１ｄは、マグネシウムに比べると内部損失も大きく、低域部（低域側）の振動に対してよく反応する。このため、音響振動板１ｄは、低域側の音響を放音するためのものとして用いられる。
【０１６４】
図１４は、マグネシウムと紙の振動特性を説明するための図である。図１４に示すように、マグネシウムにより形成された音響振動板１ｃの場合には、高い周波数の振動に反応して、高音域の音響を音圧高く放音できるものである。これに対して、紙により形成された音響振動板１ｄの場合には、図１４に示すように、低い周波数の振動に反応して、低音域の音響を音圧高く放音できるものである。
【０１６５】
これにより、マグネシウムの音響振動板１ｃと、紙の音響振動板１ｄとを用いているので、高域側にも低域側にも再生周波数特性を拡大することができる。つまり、総合的に再生周波数特性を拡大させ、良好な再生音場を形成することができるようにされる。
【０１６６】
［第３の実施の形態の第２の例］
図１５は、この第３の実施の形態の第２の例のスピーカー装置について説明するための図である。この第２の例の場合にも、図１３に示した第２の例の場合と同様に、マグネシウムで形成された円錐型振動板１ｃと、紙（例えばコーン紙）により形成された円錐型振動板１ｄとを備えたものである。
【０１６７】
これら円錐型振動板１ｃ、１ｄは、図１３に示した第１の例のスピーカー装置の円錐型振動板１ｃ、１ｄと同様に、図３に示した計算に基づいて、角度θ１、角度θ２が設定されたものである。
【０１６８】
これにより、円錐型振動板１ｃ、１ｄのそれぞれの周囲には、第１の実施の形態の場合と同様に、自己の底面に直交し、底面に対して平行に（水平方向に）進行する円筒波を形成することができるようにされる。
【０１６９】
そして、図１５に示すように、円錐型振動板１ｃ、１ｄは、２本に分岐された振動伝達部材２ａのそれぞれに配設され、円錐型振動板１ｃ、１ｄのそれぞれの頂点部分が、２本に分岐された振動伝達部材２ａのそれぞれの先端部分に接続される。
【０１７０】
この場合の接続方法は、上述もしたように、ネジ式で両者を固着するようにしたり、樹脂や接着材によって両者を固着するようにしたりするなどのことが可能である。また、振動伝達部材２ａの分岐部分は、振動をできるだけ減衰させることがないように、曲線となるようにされている。
【０１７１】
そして、振動伝達部材２ａの端部には、振動素子３が接触するように設けられる。これにより、音響信号に応じて振動素子３が発生させた振動が、振動伝達部材２を通じて円錐型振動板１ｃ、１ｄのそれぞれに伝達される。
【０１７２】
これにより、円錐型振動板１ｃ、１ｄの周囲には、円錐型振動板１ｃ、１ｄの底面に対して直交し、円錐型振動板１ｃ、１ｄの周囲に、円錐型振動板１ｃ、１ｄの底面に対して平行な方向に進行する円筒波が形成される。
【０１７３】
この場合、図１３を用いて説明したスピーカー装置の場合と同様に、マグネシウムの音響振動板１ｃと、紙の音響振動板１ｄとを用いることによって、高域側にも低域側にも再生周波数特性を拡大することができる。つまり、総合的に再生周波数特性を拡大させ、良好な再生音場を形成することができるようにされる。
【０１７４】
なお、この例の場合には、２本に分岐した振動伝達部材２ａが用いられることにより、音響振動板１ｃと、音響振動板１ｄとのそれぞれに対して、等しく（均等に）振動を伝達することができる。
【０１７５】
［音響振動板を複数用いる場合の第３の例］
図１６は、この第３の実施の形態の第３の例のスピーカー装置について説明するための図である。この第３の例の場合には、マグネシウムで形成された円錐型振動板１ｃと、紙（例えばコーン紙）により形成された２つの円錐型振動板１ｄ、１ｅとを備えたものである。つまり、全部で３つの円錐型振動板１ｃ、１ｄ，１ｅを有するようにされている。
【０１７６】
これら円錐型振動板１ｃ、１ｄ、１ｅは、上述した第３の実施の形態の第１、第２の例のスピーカー装置の円錐型振動板１ｃ、１ｄと同様に、図３に示した計算に基づいて、角度θ１、角度θ２が設定されたものである。
【０１７７】
これにより、円錐型振動板１ｃ、１ｄ、１ｅのそれぞれの周囲には、第１の実施の形態の場合と同様に、自己の底面に直交し、底面に対して平行に（水平方向に）進行する円筒波を形成することができるようにされる。
【０１７８】
そして、図１６に示すように、円錐型振動板１ｃ、１ｄ、１ｅは、３本に分岐された振動伝達部材２ｂのそれぞれに配設され、円錐型振動板１ｃ、１ｄ、１ｅのそれぞれの頂点部分が、３本に分岐された振動伝達部材２ｂのそれぞれの先端部分に接続される。
【０１７９】
この場合の接続方法は、上述もしたように、ネジ式で両者を固着するようにしたり、樹脂や接着材によって両者を固着するようにしたりするなどのことが可能である。また、振動伝達部材２ｂの分岐部分もまた、図１５に示した第２の例の振動伝達部材２ａの場合と同様に、振動をできるだけ減衰させることがないように、曲線となるようにされている。
【０１８０】
そして、振動伝達部材２ｂの端部には、振動素子３が接触するように設けられる。これにより、音響信号に応じて振動素子３が発生させた振動が、振動伝達部材２を通じて円錐型振動板１ｃ、１ｄ、１ｅのそれぞれに伝達される。
【０１８１】
これにより、円錐型振動板１ｃ、１ｄ、１ｅの周囲には、円錐型振動板１ｃ、１ｄ、１ｅの底面に対して直交し、円錐型振動板１ｃ、１ｄ、１ｅの周囲に、円錐型振動板１ｃ、１ｄ、１ｅの底面に対して平行な方向に進行する円筒波が形成される。
【０１８２】
この場合、図１３を用いて説明したスピーカー装置の場合と同様に、マグネシウムの音響振動板１ｃと、紙の音響振動板１ｄとを用いることによって、高域側にも低域側にも再生周波数特性を拡大することができる。つまり、総合的に再生周波数特性を拡大させ、良好な再生音場を形成することができるようにされる。
【０１８３】
なお、この例の場合には、３本に分岐した振動伝達部材２ａが用いられることにより、音響振動板１ｃと、音響振動板１ｄと、円錐型振動板１ｅのそれぞれに対して、等しく（均等に）振動を伝達することができる。
【０１８４】
なお、この第３の実施の形態のスピーカー装置の場合にも、図４を用いて説明したように、円錐型振動板１ａ、１ｂに、例えば、チタンで形成された振動板内振動伝達部材を埋め込む、あるいは、貼り付けるなどしてもよい。
【０１８５】
このようにすることによって、円錐型振動板１ａ、１ｂ内の音速を早めることができ、更に、円錐型振動板１ａ、１ｂの中心軸と側面のなす角度θを小さくし、スリム化を図ることもできる。
【０１８６】
［音響振動板を複数用いる場合のその他の例］
なお、用いる音響振動板の数は適宜の数とすることができる。その場合に、音響振動板毎に異なるアクチュエータによって加振する構成とすることも可能である。また、図１５、図１６を用いて説明したように、振動伝達部材を分岐するようにして、複数の音響振動板に対して１つのアクチュエータからの振動を伝達させるようにすることも可能である。
【０１８７】
また、大きさを音響振動板毎に異ならせるようにしてもよい。例えば、高域側の音響を放音する音響振動板よりも、低域側音響を放音する音響振動板の高さを高くするなどのことも可能である。この逆に、低域側の音響を放音する音響振動板よりも、高域側音響を放音する音響振動板の高さを高くするなどのことも可能である。
【０１８８】
また、音響振動板の材質も、マグネシウムと紙に限るものではない。マグネシウムだけの音響振動板を用いたり、紙だけの音響振動板を用いたりすることももちろん可能である。また、マグネシウムや紙以外の素材の音響振動板を用いるようにすることももちろん可能である。例えば、プラスチック、ガラス、種々の繊維など、様々な材質の音響振動板を用いるようにすることもできる。
【０１８９】
［実施の形態の効果］
上述した実施の形態のスピーカー装置によれば、水平方向に進行する円筒波を放射する無指向性スピーカーを実現することができる。そして、従来の水平方向に進行しない円筒波を形成する加振型スピーカーと比べ、距離による音圧減衰の更なる抑制効果が期待できる。すなわち、より良好な音場形成が可能な無指向性スピーカーを実現できる。
【０１９０】
［この発明の方法］
そして、この発明の方法は、上述した第１〜第３の実施の形態の説明からも分かるように、円錐型振動板１等、振動伝達部材２等、及び振動素子３を備え、円錐型振動板１等の頂点から底面に下ろした垂線と円錐型振動板１の側面とのなす角度θを、同じタイミングで放音されるべき音響であって、頂点部分から放音される音響の到達距離と頂点から一番離れた側面端部から放音される音響の到達距離とが同じになるように設定して形成することを特徴とするものである。
【０１９１】
当該角度θの具体的な設定方法は、図３を用いて説明した通りである。そして、基本的に、図１、図２、図４、図８、図１１〜図１３、図１５、図１６を用いて説明したスピーカー装置が、この発明のスピーカー装置の形成方法が用いられて形成されたものである。
【０１９２】
［その他］
［構成要素の素材、大きさ、形状等］
なお、上述もしたように、円錐型振動板１、１ａ、１ｂ、１ｃ、１ｄ、１ｅの素材、大きさは種々のものを用いることが可能である。特に、円錐型振動板の高さなどは、種々に設定可能であり、これに応じて円錐型振動板の底面の大きさも定まる。
【０１９３】
また、上述した実施の形態において、円錐型振動板１、１ａ、１ｂ、１ｃ、１ｄ、１ｅは円錐形のものであった。しかし、これに限るものではない。多角錐の形状の音響振動板を用いるようにすることができる。つまり、種々の錐型の音響振動板を用いることができる。具体的には、三角錐、四角錐、五角錐などの音響振動板を用いることができる。
【０１９４】
この場合、放音音響の放音方向（進行方向）は、多角錐の側面が向いている方向に影響を受ける。しかし、例えば八角錐、１６角錐などというように、側面の数を増やすことにより、無指向性に近づけることが可能である。
【０１９５】
なお、多角錐は基本的には正多角錐を用いることが好ましい。しかし、音響振動板として正多角錐出ないものを用いてもよい。この場合には、各側面毎に中心軸との角度θを適切に設定することにより、音波面を適切に制御することができる。
【０１９６】
また、振動伝達部材の素材、形状、大きさも種々のものを用いることができる。また、錐型の音響振動板の数、振動伝達部材の数、アクチュエータの数等も適宜の数とすることができる。
【０１９７】
これら、錐型の音響振動板の素材、形状、大きさ、振動伝達部材の素材、形状、大きさ、錐型の音響振動板の数、振動伝達部材の数、アクチュエータの数等は、放音音響の目的とする音響特性（周波数特性、時間応答、位相特性等）を実現可能な範囲で適宜選択可能である。
【０１９８】
また、アクチュエータも、圧電アクチュエータ、動電アクチュエータ、超磁歪アクチュエータなど種々のアクチュエータを用いることが可能である。
【０１９９】
また、音響振動板として用いるようにする紙も種々の種類のものを用いることが可能である。例えば、画用紙やクラフト紙、その他、種々の加工を施した加工紙などを用いることが可能である。
【０２００】
［振動伝達部材の構成例］
また、振動伝達部材２は、予め長さが決まったものに限るものではない。振動伝達部材２は、長さ調整が可能な構成のものを用いるようにすることもできる。例えば、振動伝達部材の構造を、複数の太さの異なる振動伝達部材が伸び縮み可能ないわゆるアンテナロッドの構造とすることが可能である。
【０２０１】
また、先端にネジ（片側オスネジ、片側メスネジ）が切ってある複数の振動伝達部材を用意し、必要に応じてオスネジとメスネジとをつなぎ合わせることにより、１本の振動伝達部材を構成することが可能である。
【０２０２】
そして、必要に応じて伸び縮み可能なように連結した構成としたり、あるいは、必要に応じて連結できるように構成したりすることが可能である。
【符号の説明】
【０２０３】
１…円錐型振動板、１ａ、１ｂ…円錐型振動板、１ｃ、１ｄ、１ｅ…円錐型振動板、２、２ａ、２ｂ…振動伝達部材、３…振動素子、４…振動板内振動伝達部材、５…ベース筐体、６…ネジ、７…脚部、８…底板
【図１】
2011029800.tif 000003
【図２】
2011029800.tif 000004
【図３】
2011029800.tif 000005
【図４】
2011029800.tif 000006
【図５】
2011029800.tif 000007
【図６】
2011029800.tif 000008
【図７】
2011029800.tif 000009
【図８】
2011029800.tif 000010
【図９】
2011029800.tif 000011
【図１０】
2011029800.tif 000012
【図１１】
2011029800.tif 000013
【図１２】
2011029800.tif 000014
【図１３】
2011029800.tif 000015
【図１４】
2011029800.tif 000016
【図１５】
2011029800.tif 000017
【図１６】
2011029800.tif 000018
【図１７】
2011029800.tif 000019